(57)【要約】【課題】鳥類の忌避効果が長期的に持続する鳥害を防止する方法、鳥害を防止可能な電柱、鳥害を防止可能な送電用の鉄塔、及び、鳥類の忌避方法を提供すること。【解決手段】電柱１０は、鳥害を防止したい設備の一例として挙げられるものであり、ミツバチが生息する巣箱５１を備えている。具体的には、電柱１０は、電柱本体２１と、筺体３１と、それぞれが電柱本体２１に環装されて筺体３１を保持する２本のバンド４１と、筺体３１内に載置されるミツバチが生息する巣箱５１と、を備える。【選択図】図１
2008136362.tif 000002
【特許請求の範囲】
【請求項１】
鳥害を防止したい設備の周辺にミツバチを存在させることにより鳥害を防止する方法。
【請求項２】
前記鳥害を防止したい設備の周辺にミツバチが生息する巣箱を配置することによってミツバチを存在させる請求項１に記載の鳥害を防止する方法。
【請求項３】
前記鳥害を防止したい設備の周辺にミツバチを誘引する誘引剤を保持させた保持体を配置することによってミツバチを存在させる請求項１に記載の鳥害を防止する方法。
【請求項４】
前記鳥害を防止したい設備は電柱である請求項１から３いずれかに記載の鳥害を防止する方法。
【請求項５】
前記鳥害を防止したい設備は送電用の鉄塔である請求項１から４いずれかに記載の鳥害を防止する方法。
【請求項６】
ミツバチが生息する巣箱を備えた鳥害を防止可能な電柱。
【請求項７】
ミツバチを誘引する誘引剤を保持させた保持体を備えた鳥害を防止可能な電柱。
【請求項８】
ミツバチが生息する巣箱を備えた鳥害を防止可能な送電用の鉄塔。
【請求項９】
ミツバチを誘引する誘引剤を保持させた保持体を備えた鳥害を防止可能な送電用の鉄塔。
【請求項１０】
ミツバチを使用した鳥類の忌避方法。
【発明の詳細な説明】
【技術分野】
【０００１】
本発明は、鳥害を防止する方法、鳥害を防止可能な電柱、鳥害を防止可能な送電用の鉄塔、及び、鳥類の忌避方法に関する。
【背景技術】
【０００２】
カラス、鳩等の鳥類が出す糞は、外観ばかりでなく、衛生上好ましくなく、さらに、清掃が大変であり、鳥害の一例と言うことができる。また、鳥害の他の一例としては、鳥類の仕業によって発生する停電事故を挙げることができる。例えば、カラスはハンガーのような金属材料を利用して電柱の腕金や送電用の鉄塔等に巣を作ることがある。ハンガーのような金属材料が電線や送電線に触れると、地絡が生じる結果、広範囲な停電を引き起こす場合がある。
【０００３】
従来、上記のような鳥害を防止するため、例えば、特許文献１に記載の「鳥害防止具」のように、テープ状の支持体の長手方向に直交して支持体の両側から多数の線体が突出している鳥害防止具であって、風を受けて揺れ動くことにより、鳥類を寄せ付けない効果、すなわち、鳥類の忌避効果がある鳥害防止具や、特許文献２に記載の「鉄塔用鳥害防止具」のように、鉄塔の構造部材から紐類、ロープ類、縄類、テープ類等の複数本の紐状体を下方へ垂れ下げる鳥害防止具等が発案されている。
【特許文献１】特開２００２−１９１２８１公報
【特許文献２】特開平１０−９４３５６号公報
【発明の開示】
【発明が解決しようとする課題】
【０００４】
しかしながら、上記特許文献に記載の発明に係る鳥害防止具は、太陽の紫外線や風雨による劣化を伴うため恒久的に使用できない。したがって、長期にわたって十分な鳥害の防止効果を得ることができないといった問題があった。また、鳥類が上記鳥害防止具に即座に慣れてしまうことも、長期にわたって十分な効果が得られていない一因になっていた。上記のように、今までの鳥害防止具、及び、鳥害を防止する方法は、鳥類の忌避効果が長期的に持続しないという問題があった。
【０００５】
本発明は、上述の課題に鑑みてなされたものであり、鳥類の忌避効果が長期的に持続する鳥害を防止する方法、鳥害を防止可能な電柱、鳥害を防止可能な送電用の鉄塔、及び、鳥類の忌避方法を提供することを目的とする。
【課題を解決するための手段】
【０００６】
本発明者らは、長年の経験により、鳥類、特に、カラスが蜂を忌避する傾向があることを見出し、本発明を完成するに至った。
【０００７】
（１）  鳥害を防止したい設備の周辺にミツバチを存在させることにより鳥害を防止する方法。
【０００８】
ミツバチとは、セイヨウミツバチ、トウヨウミツバチ（ニホンミツバチ）等をいうが、特に、セイヨウミツバチをいう。
【０００９】
カラス、鳩、スズメ等の鳥類、特に、カラスは蜂を忌避する傾向が顕著である。この理由として、蜂は暗色、例えば、黒色、灰色、茶色等のようなものを刺す傾向が強く、暗色の羽を持つ鳥類は蜂に刺されやすいことを経験的に学習しているためと推定される。
【００１０】
（１）の発明は、蜂のなかでも人間に危害を加える可能性が低いミツバチを使用することによって鳥類を忌避させる方法である。
【００１１】
（１）の発明によれば、鳥類はミツバチに刺される可能性が高いことを経験的に学習しているため、鳥害を防止したい設備の周辺にミツバチを存在させることにより、鳥害を防止したい設備の周辺を鳥類が忌避することになる。このとき、本発明によれば、ミツバチを実際に存在させることにより、ミツバチに刺される可能性があることを常に鳥類に意識させることになるため、即座に鳥類の忌避効果が損なわれることがない。また、ミツバチは自然環境に順応しやすい昆虫であり、半永久的に用いることが可能である。すなわち、本発明によれば、鳥類の忌避効果を長期的に持続させることが可能である。
【００１２】
（２）  前記鳥害を防止したい設備の周辺にミツバチが生息する巣箱を配置することによってミツバチを存在させる（１）記載の鳥害を防止する方法。
【００１３】
（２）発明によれば、鳥害を防止したい設備の周辺にミツバチが生息する巣箱を配置する。ミツバチは巣箱があれば半永久的に営巣活動を行うことが可能であるので、本発明によれば、（１）の発明の効果に加えて、巣箱を中心とした鳥類の忌避の効果をより一層長期的に持続させることが可能である。
【００１４】
（３）  前記鳥害を防止したい設備の周辺にミツバチを誘引する誘引剤を保持させた保持体を配置することによってミツバチを存在させる（１）記載の鳥害を防止する方法。
【００１５】
ここで、誘引剤とは、ミツバチを誘い集める薬剤をいう。例えば、花自体、花の香料、香水、さらに、砂糖水、サトウキビの絞り汁、白砂糖自体等のように糖度が高いもの、並びに、ナサノフ腺フェロモンのような、いわゆる、集合フェロモンを、誘引剤の一例として挙げることができる。ナサノフ腺フェロモンとは、セイヨウミツバチの腹部の背側、６節と７節の間に開口するナサノフ腺から分泌され、シトラ−ル、ネロ−ル、ゲラニオ−ル、ゲラニック酸、ネロリック酸、ファルネソ−ルが一例として挙げられる。また、空の巣箱もミツバチを誘い集めるものとして、誘引剤として考えることもできる。
【００１６】
（３）の発明によれば、（１）の発明に加えて、誘引剤によってミツバチを誘い集めるだけの簡単な方法であるため、長期的に実施することが可能である。すなわち、本発明は、鳥類の忌避の効果を長期的に持続させることが可能である。また、巣箱のような設備を必要とせず、コストを軽減することが可能である。
【００１７】
（４）  前記鳥害を防止したい設備は電柱である（１）から（３）いずれかに記載の鳥害を防止する方法。
【００１８】
（５）  前記鳥害を防止したい設備は送電用の鉄塔である（１）から（４）いずれかに記載の鳥害を防止する方法。
【００１９】
（４）及び（５）の発明は、鳥害を防止したい設備として、特に、電柱及び送電用の鉄塔であることを明確にしたものである。電柱及び送電用の鉄塔に鳥類が営巣された場合、巣に含まれる金属材料のために地絡事故を起す危険性が高く、地絡事故により停電事故が発生するため、電柱及び送電用の鉄塔における鳥害を防止する方法を実施することによって、停電事故を減少させることが可能である。
【００２０】
（６）  ミツバチが生息する巣箱を備えた鳥害を防止可能な電柱。
【００２１】
（６）の発明は、（２）又は（４）の発明を電柱（物）の発明として捉えたものであり、（２）又は（４）と同様の効果を奏する。
【００２２】
（７）  ミツバチを誘引する誘引剤を保持させた保持体を備えた鳥害を防止可能な電柱。
【００２３】
（７）の発明は、（３）又は（４）の発明を電柱（物）の発明として捉えたものであり、（３）又は（４）と同様の効果を奏する。
【００２４】
（８）  ミツバチが生息する巣箱を備えた鳥害を防止可能な送電用の鉄塔。
【００２５】
（８）の発明は、（２）又は（５）の送電用の鉄塔（物）の発明として捉えたものであり、（２）又は（５）と同様の効果を奏する。
【００２６】
（９）  ミツバチを誘引する誘引剤を保持させた保持体を備えた鳥害を防止可能な送電用の鉄塔。
【００２７】
（９）の発明は、（３）又は（５）の発明を送電用の鉄塔（物）の発明として捉えたものであり、（２）又は（５）と同様の効果を奏する。
【００２８】
（１０）  ミツバチを使用した鳥類の忌避方法。
【００２９】
（１０）の発明は、蜂のなかでも人間に危害を加える可能性が低いミツバチを使用することによって鳥類を忌避させる方法である。
【００３０】
（１０）の発明によれば、鳥類はミツバチに刺される可能性が高いことを経験的に学習しているため、即座に忌避効果が損なわれることがない。また、ミツバチは自然環境に順応しやすい昆虫であり、半永久的に用いることが可能である。すなわち、本発明によれば、鳥類のミツバチに対する忌避の効果を長期的に持続させることが可能である。
【発明の効果】
【００３１】
本発明によれば、鳥類の忌避効果を長期的に持続させることが可能である。
【発明を実施するための最良の形態】
【００３２】
以下、本発明の一例を示す実施形態について、図面に基づいて説明する。
【００３３】
［第１実施形態］
図１及び図２を用いて、本発明におけるミツバチが生息する巣箱を備えた鳥害を防止可能な電柱の第１実施形態について説明する。図１は、本発明におけるミツバチが生息する巣箱を備えた鳥害を防止可能な電柱を示す（ａ）正面図、及び、（ｂ）側面図である。図２は、巣箱を示す斜視図である。
【００３４】
図１に示すように、電柱１０は、鳥害を防止したい設備の一例として挙げられるものであり、ミツバチが生息する巣箱５１を備えている。
【００３５】
具体的には、電柱１０は、電柱本体２１と、筺体３１と、それぞれが電柱本体２１に環装されて筺体３１を保持する２本のバンド４１と、筺体３１内に載置されるミツバチが生息する巣箱５１と、を備える。
【００３６】
筺体３１は、ミツバチが生息する巣箱５１を載置させるための略正方形状、百葉箱のような形状を有している。筺体３１は、木材、プラスチックのような絶縁体でできているので、地絡を起こす危険性が低い。筺体３１は、ヒンジ（図示せず）で開閉可能に筺体３１の背面上端に支持された蓋３３を有する。作業者は、この蓋３３を開放することにより、巣箱５１を出し入れすることが可能である。さらに、筺体３１の四方の側面部は、鎧板、すなわち、それぞれが、一定の傾斜をつけ、少しずつ間をあけて平行にとりつけた幅の狭い数枚の薄板で構成されている。したがって、ミツバチはこの薄板の間から筺体３１と外部との間を行き来することができる。
【００３７】
なお、本実施形態においては、ミツバチが生息する巣箱５１を載置するために筺体３１を採用しているが、これに限定されず、電柱が、ミツバチが生息する巣箱を備えるような構成であればよい。例えば、次の実施形態に示すように、筺体３１の代わりに高圧変成器の筺体を使用してもよく、また、筺体を使用せずに、バンドのような保持部材で直接巣箱を保持するようにしてもよい。
【００３８】
図１及び図２に示すように、巣箱５１は、ミツバチが生息する巣箱である。巣箱５１は、ミツバチが出入り可能な略長方形状の開口である巣門５３が形成された木製の巣箱本体５５と、木製の蓋５７と、巣箱本体５５内にそれぞれが巣箱本体５５の長さ方向に並行して収納されている１０枚の巣枠５９と、で構成される。巣枠５９は、略長方形状であり、外枠が木製で、外枠の内部は３本の針金で複数の６角形状が連続的に編み上げられている。ミツバチは、この６角形状に編み上げられた針金にハニカム状の巣を作っていく。なお、巣箱５１は主に木製であるが、木製の一部又は全部が、他の部材、例えば、プラスチック製、紙製であってもよい。なお、巣枠５９の数は１０枚に限定されない。
【００３９】
以上のように、本実施形態における電柱１０は、鳥害を防止したい設備の一例として挙げられるものであり、ミツバチが生息する巣箱５１を備える。すなわち、本実施形態における電柱１０の周辺は、ミツバチが生息する巣箱５１によってミツバチが存在する。
【００４０】
ここで、鳥類はミツバチに刺される可能性が高いことを経験的に学習しているため、鳥害を防止したい電柱１０の周辺にミツバチを存在させることにより、電柱１０の周辺を鳥類が忌避することになる。すなわち、本実施形態における電柱１０は、巣箱５１によってミツバチを存在させることにより、鳥害を防止している方法を実施していることになる。
【００４１】
そして、本実施形態における電柱１０は、ミツバチが存在する巣箱５１を備え、ミツバチを実際に存在させることにより、ミツバチに刺される可能性があることを常に鳥類に意識させることになるため、即座に鳥類の忌避効果が損なわれることがない。また、ミツバチは自然環境に順応しやすい昆虫であり、特に、巣箱５１によって半永久的に営巣活動を行ことが可能である。すなわち、本実施形態における電柱１０は、鳥類の忌避効果を長期的に持続することが可能である。
【００４２】
また、本実施形態における電柱１０は、ミツバチを使用した鳥害を防止する電柱であるため、廃棄物が発生せず、環境に優しく、また、蜂蜜を得ることができる。
【００４３】
また、ミツバチは巣箱を中心に少なくとも半径２〜３ｋｍの活動範囲を有しており、この範囲にわたって鳥害を防止することが可能であると考えられる。
【００４４】
［第２実施形態］
図３を用いて、本発明におけるミツバチが生息する巣箱を備えた鳥害を防止可能な電柱の第２実施形態について説明する。図３は、本発明におけるミツバチが生息する巣箱を備えた鳥害を防止可能な電柱を示す（ａ）正面図、及び、（ｂ）側面図である。
【００４５】
図３に示すように、電柱１１０は、ミツバチが生息する巣箱５１を備えている。
【００４６】
具体的には、電柱１１０は、電柱本体２１と、高圧変成器の筺体１３１と、筺体１３１を電柱本体２１に接続して保持する保持部材１４１と、筺体３１内に載置される巣箱５１と、を備える。
【００４７】
高圧変成器の筺体１３１は、直立する直方体の一対の面に一対の断面略台形の角柱が連設された形状を有する。高圧変成器の筺体１３１の底面は、ミツバチの巣箱５１が載置されている。高圧変成器の筺体１３１は鉄製であるが、その外部は、亜鉛メッキが施された絶縁体であるので、高圧変成器の筺体１３１が地絡を起こす危険性が低い。また、高圧変成器の筺体１３１は側面に開口（図示せず）を有しており、ミツバチはこの開口から高圧変成器の筺体１３１と外部との間を行き来することができる。
【００４８】
保持部材１４１は、電柱本体２１に環装されるバンド１４３と、一端がバンド１４３に接続し、他端が腕金１４７に接続するアームタイ１４５と、アームタイ１４５に支持され、一端が電柱本体２１に環装される腕金１４７と、引止アーム１５１と、を有する。
【００４９】
引止アーム１５１は、高圧変成器の筺体１３１を腕金１４７に吊着させる部材であり、高圧変成器の筺体１３１の筒部１３３及び腕金１４７の貫通孔（図次せず）をそれぞれ下側から上方に向けて貫入するボルト１５３と、このボルト１５３に螺合して懸垂用平鋼１５５と、を締結するナット１５７を有する。
【００５０】
本実施形態における電柱１１０は、鳥害を防止したい設備の一例として挙げられるものであり、本実施形態における電柱１０と同様の効果に加えて、高圧変成器は従来電柱に備えられているものであるので、外観上住民に違和感を与えことがなく、住民の同意を得られやすい。
【００５１】
［変形例］
図４を用いて、本発明におけるミツバチを誘引する誘引剤を保持させた保持体を備えた鳥害を防止可能な電柱について説明する。図４は、本発明におけるミツバチを誘引する誘引剤を保持させた保持体を備えた鳥害を防止可能な電柱を示す図である。
【００５２】
図４に示すように、電柱２１０は、鳥害を防止したい設備の一例として挙げられるものであり、ミツバチを誘引する誘引剤を保持させた保持体である開閉器の筺体２３１及び変圧器の筺体２６１を備える。
【００５３】
また、電柱２１０は、開閉器の筺体２３１を電柱本体２１に接続して保持する保持部材２４１を備える。この保持部材２４１は、電柱本体２１に環装されるバンド２４３と、一端がバンド２４３に接続し、他端が腕金２４７に接続するアームタイ２４５と、アームタイ２４５に支持され、一端が電柱本体２１に接続する腕金２４７と、腕金２４７に接続し、開閉器の筺体２３１を腕金２４７に吊着させる引止アーム（図示せず）と、を有する。
【００５４】
開閉器の筺体２３１は、断面略台形状の角柱であって、内部にミツバチが滞在することが可能な空間があり、その空間には、ミツバチを誘引する誘引剤が保持されている。また、開閉器の筺体２３１は、ミツバチが出入り可能な開口部２３３が形成されている。したがって、開閉器の筺体２３１には、誘引剤に誘引されたミツバチが少なくとも一時的に滞在することが可能である。
【００５５】
また、電柱２１０は、変圧器の筺体２６１を電柱本体２１に接続して保持する保持部材２７１を備える。この保持部材２７１は、Ｌ字状の開閉器取付アーム２７７と、電柱本体２１に環装され、開閉器取付アーム２７７を挟持するバンド２７３及びバンド２７５と、開閉器取付アーム２７７に接続し、変圧器の筺体２６１を開閉器取付アーム２７７に吊着させる引止アーム２７９と、を有する。
【００５６】
変圧器の筺体２６１は、略楕円柱状の形状を有しており、内部にミツバチが滞在することが可能な空間があり、その空間には、ミツバチを誘引する誘引剤が保持されている。また、変圧器の筺体２６１は、ミツバチが出入り可能な開口部２６３が形成されている。したがって、変圧器の筺体２６１は、誘引剤に誘引されたミツバチが少なくとも一時的に滞在することが可能である。
【００５７】
以上のように、本変形例における電柱２１０は、鳥害を防止したい設備の一例として挙げられるものであり、ミツバチを誘引する誘引剤を保持させた保持体である開閉器の筺体２３１及び変圧器の筺体２６１を備える。すなわち、本実施形態における電柱２１０の周辺は、開閉器の筺体２３１及び変圧器の筺体２６１によってミツバチが一時的に存在する可能性がある。
【００５８】
ここで、鳥類はミツバチに刺される可能性が高いことを経験的に学習しているため、鳥害を防止したい電柱２１０の周辺にミツバチを一時的でも存在させることにより、電柱２１０の周辺を鳥類が忌避することになる。すなわち、本変形例における電柱２１０は、開閉器の筺体２３１及び変圧器の筺体２６１によってミツバチを一時的に存在させることにより、鳥害を防止している方法を実施していることになる。
【００５９】
そして、本変形例における電柱２１０は、ミツバチが一時的に滞在する開閉器の筺体２３１及び変圧器の筺体２６１を備え、ミツバチを実際に存在させることにより、ミツバチに刺される可能性があることを常に鳥類に意識させることになるため、即座に鳥類の忌避効果が損なわれることがない。また、ミツバチは自然環境に順応しやすい昆虫である。すなわち、本変形例における電柱２１０は、鳥類の忌避効果を長期的に持続することが可能である。
【００６０】
また、本変形例における電柱２１０は、誘引剤によってミツバチを簡単に誘い集めることが可能であるため、長期的に実施することが可能である。すなわち、ミツバチが一時的に滞在する開閉器の筺体２３１及び変圧器の筺体２６１を備える電柱２１０は、鳥類の忌避効果を長期的に持続することが可能であり、また、巣箱のような設備を必要とせず、コストを軽減することが可能である。
【００６１】
なお、本変形例において、開閉器の筺体２３１及び変圧器の筺体２６１は、内部に絶縁油、巻線等が入っておらず、開閉器及び変圧器の機能を有していなが、これに限らず、開閉器又は変圧器の機能を有したまま、空いた空間を利用して、誘引剤を保持することにより、鳥害を防止する効果を奏するものであってもよい。
【００６２】
また、本変形例において、開閉器の筺体２３１及び変圧器の筺体２６１は、ミツバチを誘引する誘引剤を保持させた保持体の一例であったが、これに限定されず、誘引剤が揮発しないような保持体を開閉器の筺体２３１及び変圧器の筺体２６１の内部に設けるようにしてもよい。
【００６３】
なお、以上の実施形態及び変形例においては、電力設備の一例として電柱を挙げたが、電力設備の一例として送電線の鉄塔を用いることにより、送電線の鉄塔（周辺の）鳥害を防止することが可能である。
【００６４】
また、以上の実施形態及び変形例においては、巣箱、誘引剤を保持する保持体を電柱の上部、送電用の鉄塔の上部に配置することにより、電気工事関係者以外である一般人がミツバチに触れる機会を少なくさせることができる。したがって、ミツバチが人に危害を加える可能性は低いが、さらに、その可能性を低下させることができる。
【図面の簡単な説明】
【００６５】
【図１】本発明におけるミツバチが生息する巣箱を備えた鳥害を防止可能な電柱を示す（ａ）正面図、及び、（ｂ）側面図である。
【図２】巣箱を示す斜視図である。
【図３】本発明におけるミツバチが生息する巣箱を備えた鳥害を防止可能な電柱を示す（ａ）正面図、及び、（ｂ）側面図である。
【図４】本発明におけるミツバチを誘引する誘引剤を保持させた保持体を備えた鳥害を防止可能な電柱を示す図である。
【符号の説明】
【００６６】
１０，１１０，２１０    鳥害を防止可能な電柱
２１    電柱本体
３１    筺体
３３    蓋
４１，１４３，２４３，２７３，２７５    バンド
５１    巣箱
５３    巣門
５５    巣箱本体
５７    蓋
５９    巣枠
１３１    高圧変成器の筺体
１３３    筒部
１４１，２４１，２７１    保持部材
１４５，２４５    アームタイ
１４７，２４７    腕金
１５１，２７９    引止アーム
１５３    ボルト
１５５    懸垂用平鋼
１５７    ナット
２３１    開閉器の筺体
２３３，２６３    開口部
２６１    変圧器の筺体
２７７    開閉器取付アーム
【図１】
2008136362.tif 000003
【図２】
2008136362.tif 000004
【図３】
2008136362.tif 000005
【図４】
2008136362.tif 000006